(57)【要約】      （修正有）【課題】取付けられたファンが外れづらく、また、ファンの能力を十分に発揮させることの可能な冷却ズボンを提供する。【解決手段】使用者の身体のうち少なくとも下半身を覆う服地部１０と、服地部１０と身体又は下着との間の空間に空気を流通させるためのファン３０と、を備えた冷却ズボン１００であって、服地部１０は、空気を前記空間内に流入可能とさせる流入口と、流入口を覆うように設けられた取付部２０と、を備え、取付部２０は、ファン３０を着脱可能に保持する表面部と、表面部の周縁全体から連設された周面部と、を備え、周面部には、周方向に延在する開口を形成するファスナーが設けられている。【選択図】図１
0003221448.tif 000002
【実用新案登録請求の範囲】
【請求項１】
使用者の身体のうち少なくとも下半身を覆う服地部と、
前記服地部と身体又は下着との間の空間に空気を流通させるためのファンと、を備えた冷却ズボンであって、
前記服地部は、空気を前記空間内に流入可能とさせる流入口と、前記流入口を覆うように設けられた取付部と、を備え、
前記取付部は、
前記ファンを着脱可能に保持する表面部と、前記表面部の周縁全体から連設された周面部と、を備え、開口を形成するファスナーが設けられていることを特徴とする冷却ズボン。
【請求項２】
前記ファスナーは、前記周面部において周方向に延在する開口を形成する位置、前記表面部から前記周面部にかけて開口を形成する位置、又は、前記表面部において前記ファンを囲うように開口を形成する位置に設けられていることを特徴とする請求項１に記載の冷却ズボン。
【請求項３】
前記表面部は、多角形状又は円形状であることを特徴とする請求項１又は２に記載の冷却ズボン。
【請求項４】
前記表面部は、矩形状であり、
前記周面部は、前記表面部の下端から連設された底面部と、前記表面部の上端から連設された上面部と、前記表面部の両側端それぞれから連設されるとともに前記底面部及び前記上面部を連続させる２つの側面部と、を備え、
前記ファスナーは、前記底面部から、前記２つの側面部のうちの少なくとも一方の側面部にかけて設けられていることを特徴とする請求項１に記載の冷却ズボン。
【請求項５】
前記取付部は、前記服地部における、使用者の腿部の側部に対向する位置に設けられていることを特徴とする請求項１から４のいずれか一項に記載の冷却ズボン。
【請求項６】
前記取付部は、前記服地部における、使用者の左右の腿部それぞれの側部に対向する位置に、左右対称に設けられていることを特徴とする請求項５に記載の冷却ズボン。
【請求項７】
前記周面部の上部には、前記周面部の下部よりも厚み方向の寸法を縮めるための係止部が設けられていることを特徴とする請求項５又は６に記載の冷却ズボン。
【請求項８】
前記係止部は、前記周面部のうち身体の前側となる位置に設けられていることを特徴とする請求項７に記載の冷却ズボン。
【請求項９】
前記ファスナーは、線ファスナーであることを特徴とする請求項１から８のいずれか一項に記載の冷却ズボン。
【請求項１０】
前記服地部における、使用者の腿部の内側に対向する位置には、前記空間から空気を流出可能とさせる空気排出部が設けられていることを特徴とする請求項１から９のいずれか一項に記載の冷却ズボン。
【考案の詳細な説明】
【技術分野】
【０００１】
本考案は、身体又は下着の表面に空気の流れを発生させることによって身体の下半身を冷却する冷却ズボンに関する。
【背景技術】
【０００２】
従来、使用者の下半身を覆う服地部に形成された円形状の開口部にファンが取付けられ、当該ファンにより服地部内に外気を取入れて身体又は下着との間の空間に空気を流通させることで、身体の下半身を冷却するズボン（以下、冷却ズボンという）が知られている（例えば、特許文献１参照）。
【０００３】
かかる冷却ズボンにおいては、例えば、図１０に示すように、使用者の腿部に対向する位置に、ファンＦを取り付けるための取付部７０を設ける構成が検討されている。
取付部７０は、ポケット状の外形を成し、上端部７１の内面にマジックテープ（登録商標）７２が設けられ、マジックテープ７２を剥がすことで開口を形成することができる。ファンＦは、取付部７０の表面部７３に形成された開口部の外側から差し込まれ、マジックテープ７２を剥がすことで形成された開口から手指を入れて、取付部７０の内側においてファンＦとリング状部材（図示省略）で表面部７３の布地を挟むことで、取付部７０にファンＦが固定される。
【先行技術文献】
【特許文献】
【０００４】
【特許文献１】特開２００７−１６３３５号公報
【考案の概要】
【考案が解決しようとする課題】
【０００５】
しかしながら、図１０に示す取付部７０は、マジックテープ７２でべた留めして開口を閉じさせる構成であるため、冷却ズボンを着用した際に、取付部７０の上端部７１が服地部に密着して取付部７０の上部がつぶれるため、ファンＦと使用者の腿部の間に十分な空間が確保できず、膝を曲げた場合などにファンＦが腿部に干渉して、ファンＦが外れやすいものであった。
また、取付部７０の上部がつぶれると、ファンＦが挿入された内側の空間が狭く、空気抵抗によりファンＦの能力を十分に発揮できない要因にもなっていた。
また、この取付部７０は、上端部７１のみで開口を形成するため、開口が小さく、ファンＦの取付けが行いづらいものであった。
【０００６】
本考案の目的は、取付けられたファンが外れづらく、また、ファンの能力を十分に発揮させることの可能な冷却ズボンを提供することである。
【課題を解決するための手段】
【０００７】
上記目的を達成するため、請求項１に記載の考案は、
使用者の身体のうち少なくとも下半身を覆う服地部と、
前記服地部と身体又は下着との間の空間に空気を流通させるためのファンと、を備えた冷却ズボンであって、
前記服地部は、空気を前記空間内に流入可能とさせる流入口と、前記流入口を覆うように設けられた取付部と、を備え、
前記取付部は、
前記ファンを着脱可能に保持する表面部と、前記表面部の周縁全体から連設された周面部と、を備え、開口を形成するファスナーが設けられていることを特徴とする。
【０００８】
請求項２に記載の考案は、請求項１に記載の冷却ズボンにおいて、
前記ファスナーは、前記周面部において周方向に延在する開口を形成する位置、前記表面部から前記周面部にかけて開口を形成する位置、又は、前記表面部において前記ファンを囲うように開口を形成する位置に設けられていることを特徴とする。
【０００９】
請求項３に記載の考案は、請求項１又は２に記載の冷却ズボンにおいて、
前記表面部は、多角形状又は円形状であることを特徴とする。
【００１０】
請求項４に記載の考案は、請求項１に記載の冷却ズボンにおいて、
前記表面部は、矩形状であり、
前記周面部は、前記表面部の下端から連設された底面部と、前記表面部の上端から連設された上面部と、前記表面部の両側端それぞれから連設されるとともに前記底面部及び前記上面部を連続させる２つの側面部と、を備え、
前記ファスナーは、前記底面部から、前記２つの側面部のうちの少なくとも一方の側面部にかけて設けられていることを特徴とする。
【００１１】
請求項５に記載の考案は、請求項１から４のいずれか一項に記載の冷却ズボンにおいて、
前記取付部は、前記服地部における、使用者の腿部の側部に対向する位置に設けられていることを特徴とする。
【００１２】
請求項６に記載の考案は、請求項５に記載の冷却ズボンにおいて、
前記取付部は、前記服地部における、使用者の左右の腿部それぞれの側部に対向する位置に、左右対称に設けられていることを特徴とする。
【００１３】
請求項７に記載の考案は、請求項５又は６に記載の冷却ズボンにおいて、
前記周面部の上部には、前記周面部の下部よりも厚み方向の寸法を縮めるための係止部が設けられていることを特徴とする。
【００１４】
請求項８に記載の考案は、請求項７に記載の冷却ズボンにおいて、
前記係止部は、前記周面部のうち身体の前側となる位置に設けられていることを特徴とする。
【００１５】
請求項９に記載の考案は、請求項１から８のいずれか一項に記載の冷却ズボンにおいて、
前記ファスナーは、線ファスナーであることを特徴とする。
【００１６】
請求項１０に記載の考案は、請求項１から９のいずれか一項に記載の冷却ズボンにおいて、
前記服地部における、使用者の腿部の内側に対向する位置には、前記空間から空気を流出可能とさせる空気排出部が設けられていることを特徴とする。
【考案の効果】
【００１７】
本考案によれば、取付けられたファンが外れづらく、また、ファンの能力を十分に発揮させることの可能な冷却ズボンを提供することができる。
【図面の簡単な説明】
【００１８】
【図１】冷却ズボンを示す概略正面図である。
【図２】図１の冷却ズボンを右側前方から見た図である。
【図３】図１の冷却ズボンを右側後方から見た図である。
【図４】図３の冷却ズボンの取付部を開けた状態を示す図である。
【図５】図１の冷却ズボンを右側側方から見た図である。
【図６】他の態様の冷却ズボンについて説明するための図である。
【図７】他の態様の冷却ズボンについて説明するための図である。
【図８】他の態様の冷却ズボンについて説明するための図である。
【図９】他の態様の冷却ズボンについて説明するための図である。
【図１０】従来の冷却ズボンを示す概略図である。
【考案を実施するための形態】
【００１９】
以下、図面を参照して、本考案に係る冷却ズボンの実施形態について詳細に説明する。
ただし、本考案の技術的範囲は図示例に限定されない。
【００２０】
［冷却ズボンの構成]
図１は、本実施形態における冷却ズボン１００を示す概略正面図である。
図１に示すように、冷却ズボン１００は、例えば、使用者の身体のうち少なくとも下半身を覆う服地部１０と、服地部１０と身体又は下着との間の空間に空気を流通させるためのファン３０，３０と、を備えて構成されている。
【００２１】
服地部１０は、通気性の小さな又は通気性の無いシート状素材で、使用者の下半身を覆うような形状に形成されている。
この服地部１０は、身体を覆う衣服としての役割と共に、服地部１０と身体又は下着との間の空間において、ファン３０，３０により送りこれまた空気を身体又は下着の表面に沿って案内するという役割も果たす。
具体的には、服地部１０は、使用者の腹部、腰部及び臀部を覆う股上部１１と、この股上部１１よりも下側であって、二股に分かれて使用者の脚部を覆う股下部１４と、を有している。
【００２２】
股上部１１は、下半身を挿入するための履き口１２を有している。履き口１２は、前身頃の中央部のボタン（不図示）を外すと共に、縦の切れ目に設けられたファスナー（不図示）を開けることで、その開口面積を大きくすることができる。
【００２３】
履き口１２の周縁部には、冷却ズボン１００が着用された状態において使用者の腰部に対向し、ベルトを巻きつけることの可能なベルト領域１３が備えられる。ベルト領域１３にベルトを巻きつけて締めることで、股上部１１の履き口１２を、身体又は下着と密着するように締め付けることができる。また、ベルトを締めることにより、服地部１０の履き口１２から空気が外部に漏れるのを防止することができる。
【００２４】
股下部１４は、足先から足首までを外部に露出させるための裾口１５，１５を有している。ファン３０，３０により服地部１０内に取入れられた空気は、裾口１５，１５から外部に流出させることができる。
【００２５】
また、股下部１４の、冷却ズボン１００が着用された状態において使用者の腿部の内側（内腿）に対向する位置には、空気排出部１６，１６が設けられている。
空気排出部１６は、服地部１０に形成された開口である流出口１６ａと、流出口１６ａの内部に配されたメッシュ状部材１６ｂと、流出口１６ａを開閉させるファスナー１６ｃと、を備える（図２参照）。流出口１６ａ，１６ａを開状態とさせることで、ファン３０，３０により服地部１０内に取入れられた空気を、当該流出口１６ａ，１６ａから外部に流出させることができる。
【００２６】
また、股下部１４の、冷却ズボン１００が着用された状態において使用者の腿部に対向する位置には、ファン３０，３０を取り付けるための取付部２０，２０が設けられている。
具体的には、各取付部２０は、股下部１４に形成された開口である流入口１７（図４参照）を覆うように設けられている。このため、ファン３０により取付部２０の内部空間に取り入れられた外気は、流入口１７を介して、服地部１０と身体又は下着との間の空間内に流入可能である。
かかる流入口１７，１７及び取付部２０，２０は、冷却ズボン１００が着用された状態において使用者の腿部の両側部それぞれに対向する位置に、左右に対を成して設けられることが好ましい。
【００２７】
図２は、図１の冷却ズボン１００を右側前方から見た図である。また、図３は、図１の冷却ズボン１００を右側後方から見た図である。また、図４は、図３の冷却ズボン１００の取付部２０を開いた状態を示す図である。また、図５は、図１の冷却ズボン１００を右側側方から見た図である。
図２〜図５に示すように、取付部２０は、所定の厚み（所謂、マチ）を有する正面視矩形状に形成されている。なお、ここでいう「矩形状」は、厳密に正方形や長方形である場合のみでなく、例えば角部が直角でない場合や、端部が完全に直線でない場合などの多少の誤差や変形を含み得る。
具体的には、取付部２０は、ファン３０を取付けるための表面部２１と、表面部２１の周縁全体から連設された周面部２０Ａと、を備えている。
周面部２０Ａは、表面部２１の下端から連設された底面部２２と、表面部２１の上端から連設された上面部２３と、表面部２１の両側端からそれぞれ連設され、底面部２２及び上面部２３を連続させる前側面部２４及び後側面部２５と、を備えている。
【００２８】
そして、底面部２２から後側面部２５にかけて、取付部２０の厚み方向（左右方向）の所定位置において開口Ｓを形成するためのファスナー２７が設けられており、ファスナー２７を開けた状態において、開口Ｓから手指を入れて、取付部２０の表面部２１に配されたファン３０を内部空間にて固定可能となっている。
【００２９】
表面部２１には、円形状の開口部が形成されており、当該開口部からファン３０を露出した状態として取付けることが可能である。
【００３０】
ファスナー２７は、線ファスナーであるが、面ファスナーを用いても良い。
【００３１】
また、前側面部２４の上部には、当該前側面部２４の下部よりも、取付部２０の厚み方向の寸法を縮めるための係止部２８が設けられている。
係止部２８は、例えば、ボタンやマジックテープなどであって、その係止状態において、前側面部２４の上部の両端を接触させた状態として固定させるものであり、これにより、取付部２０の上部が幅方向に潰れることで、着用された冷却ズボン１００を前方から見た場合に、見栄えを良好にすることができる。
また、係止部２８としては、前側面部２４の上部の両端を接触させた状態で縫い留めて固定させた縫い留め部であっても良い。
【００３２】
ファン３０，３０は、上述したように、取付部２０，２０に着脱可能に取付けられる。
ファン３０，３０は、空気を外部から取り込むことにより服地部１０と身体又は下着との間に空気流通路を形成し、その空気流通路内に空気の流れを強制的に生じさせるものである。
【００３３】
具体的に、ファン３０は、プロペラを有し、プロペラの回転駆動に伴って外部の空気が服地部１０内に取入れられる。即ち、プロペラを回転駆動させると、外部から服地部１０内に流入する空気の圧力によって、服地部１０と身体又は下着との間に、空気の流通路が自動的に形成される。
また、ファン３０に電力を供給するための電源手段（不図示）は、例えば、服地部１０の内ポケット（不図示）に収納されたり、ベルトに取り付けられたりすることで、冷却ズボン１００に保持される。なお、使用者の作業や動作の際に邪魔になれなければ、冷却ズボン１００の何処に取付けても、或いは何処に収納してもよい。
電源手段は、例えばバッテリーを内蔵した電源装置であり、電源手段とファン３０，３０とは電源ケーブルにより電気的に接続されている。
また、ファン３０と電源手段の間には、電源手段からファン３０に供給される電力をオン・オフするための電源スイッチが設けられている。
【００３４】
［冷却ズボンの作用]
本実施形態の冷却ズボン１００には、以下のようにしてファン３０，３０を取り付けることができる。なお、ファン３０，３０の取り付け作業は、使用者が冷却ズボン１００を着用した状態で行われても良いし、着用していない状態で行われても良い。
まず、取付部２０のファスナー２７を開けた状態とし、開口Ｓを形成する。
次に、取付部２０の表面部２１に形成された開口部の外側からファン３０を差し込み、開口Ｓから手指を入れて、取付部２０の内側において、ファン３０とリング状部材（図示省略）で表面部２１の布地を挟むことで、ファン３０を固定する。また、ファン３０の電源手段を所定位置に保持させる。
次に、係止部２８が係止状態となっていない場合には、係止部２８を係止状態とする。
【００３５】
かかるファン３０の取付け作業においては、ファスナー２７が底面部２２から後側面部２５にかけて設けられているため、ファン３０を出し入れするための開口Ｓを十分に大きく形成することができ、ファン３０の取付けが行いやすくなっている。
また、冷却ズボン１００を下半身に着用した状態においては、係止部２８により前側面部２４の上部の両端を接触させた状態で固定されていることで、取付部２０の上部が幅方向に潰れるため、着用された冷却ズボン１００を前方から見た場合の見栄えを良好にすることができる。
【００３６】
そして、冷却ズボン１００を下半身に着用した状態において電源スイッチをオンにすると、ファン３０，３０が回転し、外気の吸引が開始される。ファン３０，３０から服地部１０内に取り込まれた外気は、服地部１０と身体又は下着との間の空間を身体と略平行に流通し、裾口１５，１５及び流出口１６ａ，１６ａから外部に排出される。服地部１０と身体又は下着との間の空間に空気を流通させることにより、下半身を十分に冷却することができることとなる。
【００３７】
冷却ズボン１００の着用時において、取付部２０は、厚みを有する（底面部２２、上面部２３、前側面部２４及び後側面部２５を有する）構成であることで、ファンＦと使用者の腿部の間に十分な空間が確保できるので、膝を曲げた場合などにファン３０が腿部に干渉してファン３０が外れやすいなどの問題の発生を防ぐことができる。
【００３８】
［効果]
以上のように、本実施形態によれば、使用者の身体のうち少なくとも下半身を覆う服地部１０と、服地部１０と身体又は下着との間の空間に空気を流通させるためのファン３０と、を備えた冷却ズボン１００であって、服地部１０は、空気を前記空間内に流入可能とさせる流入口１７と、流入口１７を覆うように設けられた取付部２０と、を備え、取付部２０は、ファン３０を着脱可能に保持する表面部２１と、表面部２１の周縁全体から連設された周面部２０Ａと、を備え、周面部２０Ａにおいて周方向に延在する開口Ｓを形成する位置にファスナー２７が設けられている。
具体的に、表面部２１は、矩形状であり、周面部２０Ａは、表面部２１の下端から連設された底面部２２と、表面部２１の上端から連設された上面部２３と、表面部２１の両側端それぞれから連設されるとともに底面部２２及び上面部２３を連続させる２つの側面部（前側面部２４及び後側面部２５）と、を備え、ファスナー２７は、底面部２２から、２つの側面部のうちの少なくとも一方の側面部（後側面部２５）にかけて設けられている。
このため、取付部２０は、周面部２０Ａ（底面部２２、上面部２３、前側面部２４及び後側面部２５）を有することで、その厚み（マチ）を十分に大きく確保することができ、冷却ズボン１００の着用時にファン３０が腿部に干渉して外れるなどの問題の発生を防ぐことができる。
また、ファン３０と、身体又は下着との間に空間があるため、空気抵抗が少なく、ファン３０の能力を十分に発揮させることができ、高効率化を図ることができる。
また、ファスナー２７が底面部２２から側面部にかけて設けられていることで、ファスナー２７を開けた際に開口Ｓを十分に大きく形成することができ、ファン３０の取付けを行いやすくすることができる。
よって、ファン３０の取付けが容易で、取付けられたファン３０が外れづらく、また、ファン３０の能力を十分に発揮させることの可能な冷却ズボン１００となる。
【００３９】
また、本実施形態によれば、取付部２０は、服地部１０における、使用者の腿部の側部に対向する位置に設けられている。
このため、極力邪魔にならない位置にファン３０が取付けられた冷却ズボン１００とすることができる。
【００４０】
また、本実施形態によれば、取付部２０は、服地部１０における、使用者の左右の腿部それぞれの側部に対向する位置に、左右対称に設けられている。
このため、左右の脚それぞれに沿って空気を流通させる構成とすることができる。
【００４１】
また、本実施形態によれば、周面部２０Ａ（前側面部２４）の上部には、周面部２０Ａ（前側面部２４）の下部よりも厚み方向の寸法を縮めるための係止部２８が設けられている。
このため、取付部２０の上部が潰れるので、見栄えを良好にすることができる。
【００４２】
また、本実施形態によれば、係止部２８は、周面部２０Ａのうち身体の前側となる位置（前側面部２４）に設けられている。
このため、冷却ズボン１００の着用時に前方から見た場合の見栄えを良好にすることができる。
【００４３】
また、本実施形態によれば、ファスナー２７は、線ファスナーである。
このため、ファスナー２７の開閉作業が容易であり、ファン３０の取付けを容易に行うことができる。
【００４４】
また、本実施形態によれば、服地部１０における、使用者の腿部の内側に対向する位置には、空間から空気を流出可能とさせる空気排出部１６が設けられている。
このため、空気を円滑に流通させることができ、冷却効果を高めることができる。
【００４５】
［その他］
なお、上記実施形態においては、ファスナー２７が底面部２２から後側面部２５にかけて設けられていることとしたが、この構成はあくまで一例であって、ファスナー２７は、底面部２２から前側面部２４にかけて設けられていても良い。
【００４６】
また、上記実施形態においては、ファスナー２７の設けられていない前側面部２４に係止部２８が設けられているが、前側面部２４にファスナー２７が設けられている場合であっても、この前側面部２４に係止部２８を設けることができる。
また、係止部２８は、後側面部２５に設けられても良い。
【００４７】
また、上記実施形態においては、取付部２０は、服地部１０における、使用者の腿部の側部に対向する位置に設けられているが、取付部２０は腿部の前部に対応する位置に設けても良い。
【００４８】
また、上記実施形態においては、冷却ズボン１００は２つのファン３０，３０を備えているが、ファン３０は１つでも良いし、３つ以上設けるようにしてもよい。
また、複数のファン３０を備える場合、複数のファン３０のうちの一又はいくつかを選択的に使用することもできる。
さらに、複数のファン３０の定格風量を異なるものとしたり、或いは複数のファン３０の定格風量が同一でも回転数を変えたりすることによって送風量を違えることにより、股部に空気を確実に流通させるように調整してもよい。
【００４９】
また、上記実施形態においては、ファン３０，３０から服地部１０内に取り込まれた外気は、裾口１５，１５及び流出口１６ａ，１６ａから外部に排出されることとしたが、例えばベルトの締め具合を調整することで、服地部１０の履き口１２からも空気を外部に排出可能にさせても良い。ファン３０，３０によって服地部１０内に取入れた外気が、裾口１５，１５及び流出口１６ａ，１６ａだけでなく履き口１２からも外部に排出されることで、下半身だけでなく、上半身も冷却する効果が期待できる。
【００５０】
また、上記実施形態においては、冷却ズボン１００として足首まである長ズボンを例示して説明したが、対象となるズボンはこれに限定されないのは勿論である。例えば、冷却ズボンは、膝丈程度のズボンや、つなぎ服などであっても良い。
【００５１】
また、ファスナー２７の位置は、上記した構成に限られない。
例えば、ファスナー２７は、上面部２３から後側面部２５（又は前側面部２４）にかけて設けられていても良い。また、前側面部２４、底面部２２及び後側面部２５の３面にかけて設けられていても良いし、上面部２３、前側面部２４（又は後側面部２５）及び底面部２２の３面にかけて設けられていても良い。
【００５２】
また、例えば、図６に示すように、ファスナー２７は、表面部２０１から周面部２０Ａにかけて開口Ｓを形成するように設けられても良い。
図６は、底面部２２から表面部２１にかけて、ファスナー２７が設けられている例であるが、これ以外にも、例えば、底面部２２、表面部２１及び上面部２３の３面にかけて、ファスナー２７が設けられても良い。
かかる構成であっても、ファン３０の取付けが容易で、取付けられたファン３０が外れづらく、また、ファン３０の能力を十分に発揮させることの可能な冷却ズボン１００となる。
【００５３】
さらに、例えば、図７に示すように、表面部２１に、ファン３０を囲うように延在する開口Ｓを形成するファスナー２７が設けられても良い。
かかる構成であっても、ファン３０の取付けが容易で、取付けられたファン３０が外れづらく、また、ファン３０の能力を十分に発揮させることの可能な冷却ズボン１００となる。
【００５４】
また、上記実施形態においては、取付部２０は、正面視矩形状のものを例示して説明したが、取付部２０の形状はこれに限定されない。
例えば、図８に示すように、取付部２０を多角形状（図８では六角形状）にすることもできる。或いは、図９に示すように、取付部２０を円形状にすることもできる。
【００５５】
また、その他、具体的な細部構造等についても適宜に変更可能であることは勿論である。
【符号の説明】
【００５６】
１０  服地部
１１  股上部
１２  履き口
１３  ベルト領域
１４  股下部
１５  裾口
１６  空気排出部
１６ａ  流出口
１６ｂ  メッシュ状部材
１６ｃ  ファスナー
１７  流入口
２０  取付部
２０Ａ  周面部
２１  表面部
２２  底面部
２３  上面部
２４  前側面部
２５  後側面部
２７  ファスナー
２８  係止部
Ｓ  開口
３０  ファン
１００  冷却ズボン
【図１】
0003221448.tif 000003
【図２】
0003221448.tif 000004
【図３】
0003221448.tif 000005
【図４】
0003221448.tif 000006
【図５】
0003221448.tif 000007
【図６】
0003221448.tif 000008
【図７】
0003221448.tif 000009
【図８】
0003221448.tif 000010
【図９】
0003221448.tif 000011
【図１０】
0003221448.tif 000012